(57)【要約】【課題】  生産性の低下を招くことなく、耐久性が向上したプランジャポンプを提供すること。【解決手段】  プランジャポンプの偏心カムとストッパ部材との間に、低摩擦部材を設けた。【選択図】  図９
2018062874.tif 000002
【特許請求の範囲】
【請求項１】
モータと、
前記モータによって回転駆動される回転軸と、
前記回転軸の軸心に対し偏心した軸心を有し、前記回転軸の回転によって前記偏心した軸心が前記回転軸の軸心周りを回転される偏心軸と、
前記偏心軸の外周で、前記偏心軸の回転によって前記偏心した軸心の周りを揺動する偏心カムと、
前記偏心カムの外周で、前記偏心した軸心に対し直交する方向を作動軸方向とし、前記偏心カムの揺動によって往復運動してポンプ作用を行うプランジャポンプと、
前記偏心カムに対し前記偏心した軸心の方向に設けられたストッパ部と、
前記偏心した軸心の方向で前記ストッパ部と前記偏心カムとの間に設けられ、前記偏心カムとの間の摩擦係数が、前記ストッパ部と前記偏心カムとの間の摩擦係数より小さい摺動部とを備えたこと、
を特徴とするポンプ装置。
【請求項２】
請求項１に記載のポンプ装置において、
前記摺動部と前記ストッパ部との間の摩擦係数が、前記ストッパ部と前記偏心カムとの間の摩擦係数より小さいこと、
を特徴とするポンプ装置。
【請求項３】
請求項１記載のポンプ装置において、
前記モータが取り付けられる一面と、前記一面より内部に設けられ、前記偏心カムが収容される有底の収容孔と、を有するハウジングを備え、
前記摺動部は、別部材の摺動部材として前記偏心軸に保持され、
前記ストッパ部は前記収容孔の底部であること、
を特徴とするポンプ装置。
【請求項４】
請求項３記載のポンプ装置において、
前記摺動部材の前記収容孔の底部側は、球状であること、
を特徴とするポンプ装置。
【請求項５】
請求項３記載のポンプ装置において、
前記摺動部材は、前記偏心軸の外周と部分的に当接していること、
を特徴とするポンプ装置。
【請求項６】
請求項１に記載のポンプ装置において、
前記ストッパ部は、前記偏心軸に固定された別部材のストッパ部材であること
を特徴とするポンプ装置。
【請求項７】
請求項６に記載のポンプ装置において、
前記ストッパ部材は、前記偏心軸に固定される前記偏心した軸心の方向において、前記偏心カム側に縮径する段差部を備え、
前記摺動部は、別部材の摺動部材として構成され、
前記段差部に前記摺動部材が配置されること、
を特徴とするポンプ装置。
【請求項８】
請求項６に記載のポンプ装置において、
前記ストッパ部は、前記偏心軸に固定される前記偏心した軸心の方向において、前記偏心カム側に凹部を備え、
前記摺動部は、別部材の摺動部材として構成され、
前記凹部に前記摺動部材が配置されること、
を特徴とするポンプ装置。
【請求項９】
請求項１に記載のブレーキ装置において、
前記偏心カムは、
前記偏心軸の外周に設けられた複数の転動体と、
前記複数の転動体に対して前記偏心軸の径方向外側に設けられた外輪と、
を備えた転がり軸受であること、
を特徴とするポンプ装置。
【請求項１０】
プランジャポンプと、
前記プランジャポンプを駆動するための偏心カムと、
を備えたポンプ装置であって、
前記偏心カムの揺動軸方向に設けられたストッパ部と、
前記揺動軸方向で前記ストッパ部と前記偏心カムとの間に設けられ、前記偏心カムとの当接部に対する摩擦係数が、前記ストッパ部の前記偏心カムとの当接部に対する摩擦係数より小さい摺動部と、
を備えたことを特徴とするポンプ装置。
【請求項１１】
液路を備えたハウジングと、
前記ハウジングの内部に設けられ、前記液路にブレーキ液を吐出するプランジャポンプと、
前記プランジャポンプを駆動し、前記ハウジングの一面に取り付けられたモータと、
前記モータによって回転駆動され、前記ハウジングの一面より内部に設けられた有底の収容孔に配置された回転軸と、
前記回転軸の軸心に対し偏心した軸心を有し、前記回転軸の回転によって前記偏心した軸心が前記回転軸の軸心の周りを回転する偏心軸と、
前記偏心軸の外周で、前記偏心軸の回転によって前記偏心した軸心の周りに揺動して前記プランジャポンプを駆動させる偏心カムと、
前記偏心カムに対し前記偏心した軸心の方向に設けられたストッパ部と、
前記偏心した軸心の方向で前記ストッパ部と前記偏心カムとの間に設けられ、前記偏心カムとの当接部に対する摩擦係数が、前記ストッパ部の前記偏心カムとの当接部に対する摩擦係数より小さい摺動部と、
を備えたことを特徴とするブレーキ装置。
【請求項１２】
請求項１１に記載のブレーキ装置において、
前記摺動部と前記ストッパ部との間の摩擦係数が、前記ストッパ部と前記偏心カムとの間の摩擦係数より小さいこと、
を特徴とするブレーキ装置。
【発明の詳細な説明】
【技術分野】
【０００１】
本発明は、プランジャポンプ及びそれを備えたブレーキ装置に関する。
【背景技術】
【０００２】
従来のポンプ装置は、種々提供されており、その１つとして例えば以下の特許文献1に開示されているものが知られている。概略を説明すれば、このプランジャポンプを駆動するための偏心カムとしてニードルベアリング軸方向片方が閉じられた形状のものを用い、この閉止部が偏心カム収容室底部に設けられたボールと点接触する構造となっている。
【先行技術文献】
【特許文献】
【０００３】
【特許文献１】特表2006-514215号公報
【発明の概要】
【発明が解決しようとする課題】
【０００４】
しかしながら、特許文献１では、カム収容室底部にボールを埋め込むため、ハウジング側にスペースを確保する必要があり、装置の大型化が懸念される。また、シャフトとベアリングが固定されていないため、組み立て性の悪化も懸念される。つまり、プランジャポンプの耐久性向上のために耐摩耗性に着目したが、それにより生産性が低下するおそれがある。
本発明の目的は、生産性の低下を招くことなく、耐久性を向上させたポンプ装置及びブレーキ装置を提供することにある。
【課題を解決するための手段】
【０００５】
本発明では、偏心した軸心の方向でストッパ部と偏心カムとの間に設けられ、前記偏心カムとの間の摩擦係数が、前記ストッパ部と前記偏心カムとの間の摩擦係数より小さい摺動部とを備えた。
【発明の効果】
【０００６】
よって、生産性の低下を招くことなく、プランジャポンプの耐久性が向上できる。
【図面の簡単な説明】
【０００７】
【図１】実施例１のブレーキ装置を示す図である。
【図２】実施例１のプランジャポンプの断面図である。
【図３】実施例１のポンプ部の拡大断面図である。
【図４】実施例1の回転駆動軸、カム（カムユニット）、駆動部材（カムユニット）、樹脂製のカラーの分解斜視図である。
【図５】実施例1の回転駆動軸、カム（カムユニット）、駆動部材（カムユニット）、樹脂製のカラーをハウジングに組付けた状態での断面図である。
【図６】実施例1の第5図のＡ−Ａ断面図である。
【図７】実施例１の材料と摩擦係数の関係を示す特性図である。
【図８】実施例２の回転駆動軸、カム（カムユニット）、駆動部材（カムユニット）、樹脂製のカラーをハウジングに組付けた状態での断面図である。
【図９】実施例３の回転駆動軸、カム（カムユニット）、駆動部材（カムユニット）、樹脂製のカラー、金属製のストッパ部材の分解斜視図である。
【図１０】実施例３の回転駆動軸、カム（カムユニット）、駆動部材（カムユニット）、樹脂製のカラー、金属製のストッパ部材を組付けた状態での断面図である。
【図１１】実施例４の回転駆動軸、カム（カムユニット）、駆動部材（カムユニット）、樹脂製のカラー、金属製のストッパ部材の分解斜視図である。
【図１２】実施例４の回転駆動軸、カム（カムユニット）、駆動部材（カムユニット）、樹脂製のカラー、金属製のストッパ部材を組付けた状態での断面図である。
【図１３】実施例４の回転駆動軸、カム（カムユニット）、駆動部材（カムユニット）、樹脂製のカラー、金属製のストッパ部材を組付けた状態での平面図である。
【図１４】実施例５の回転駆動軸、カム（カムユニット）、駆動部材（カムユニット）、樹脂製のカラー、金属製のストッパ部材を組付けた状態での平面図である。
【発明を実施するための形態】
【０００８】
〔実施例１〕
図１は、実施例１のブレーキ装置を示す図である。実施例１のブレーキ装置は、ブレーキペダルBP、マスタシリンダユニットMU、バルブユニットBU、リザーバタンクRSVおよびコントロールユニットCUを備える。マスタシリンダユニットMUとバルブユニットBUとは別体であり、両ユニットをボルトにより組み付け、複数の油路8a、8b、11aを形成する。尚、両ユニットの間は、ハウジングを直接する構成に限らず、鋼管等を介して接続してもよい。
【０００９】
マスタシリンダユニットMUは、運転者のブレーキ操作量（ブレーキペダルBPのストローク）を検出するストロークセンサＳ1を有する。マスタシリンダユニットMUは、マスタシリンダM/CとストロークシミュレータSSとを有する。マスタシリンダM/Cは、プライマリ液室7a、セカンダリ液室7bを有し、それぞれリザーバタンクRSVからブレーキ液が供給されている。ブレーキペダルBPが踏まれると、プライマリピストン7cを介してプライマリ液室7aからプライマリ系統にブレーキ液が出力される。同時に、セカンダリピストン7dを介してセカンダリ液室7bからセカンダリ系統にブレーキ液が出力される。プライマリ液室7aは、油路8aを介して、左前輪FLと右後輪RRのホイルシリンダW/Cにそれぞれ接続されている。セカンダリ液室7bは、油路8bを介して、左後輪RLと右前輪FRのホイルシリンダW/Cにそれぞれ接続されている。
【００１０】
油路8a上には、プライマリ系統圧を検出するプライマリ系統圧センサS3が設けられている。油路8b上には、セカンダリ系統圧を検出するセカンダリ系統圧センサS4が設けられている。油路8a上には、プライマリ液室7aとホイルシリンダW/Cとの間を遮断するプライマリカット弁9aが設けられており、また、油路8b上には、セカンダリ液室7bとホイルシリンダW/Cとの間を遮断するセカンダリカット弁9bが設けられている。プライマリカット弁9aおよびセカンダリカット弁9bは、共に常開型の電磁弁である。
【００１１】
ストロークシミュレータSSの正圧室10aと背圧室10bとの間は液密に隔成され、互いにブレーキ液の行き来ができない構成となっている。正圧室10aは、油路25aと接続されている。油路25aは、セカンダリ液室7bと接続されている。油路8b上には、セカンダリカット弁9bよりも上流側にマスタ圧を検出するマスタ圧センサS2が設けられている。ストロークシミュレータSSは、背圧室10bにスプリング10cを有しており、ピストン10dのストロークに応じてブレーキペダルBPに操作反力を発生させる。背圧室10bは、油路11aを介して油路13aと接続されると共に、油路11aと油路11bを介して油路8bと接続されている。油路11aには、ストロークシミュレータアウト弁（ストロークシミュレータ調整弁）12が設けられている。油路11bには、ストロークシミュレータイン弁14が設けられている。
【００１２】
ストロークシミュレータアウト弁12およびストロークシミュレータイン弁14は、共に常閉型の電磁弁である。また、ストロークシミュレータアウト弁12と並列にチェック弁26が設けられている。チェック弁26は、油路11aの圧力が油路13aよりも小さい場合に、油路11aへのブレーキ液の流出を許可する。また、ストロークシミュレータイン弁14と並列にチェック弁27が設けられている。チェック弁27は、油路15aの圧力が油路11aの圧力よりも小さい場合に、油路15aへのブレーキ液の流出を許可する。油路8aと油路15aとの間には、プライマリ系統とポンプ吐出系統との連通／遮断を切り替え可能なプライマリ連通弁16aが設けられている。また、油路8bと油路15aとの間には、セカンダリ系統とポンプ吐出系統との連通／遮断を切り替え可能なセカンダリ連通弁16bが設けられている。プライマリ連通弁16aおよびセカンダリ連通弁16bは、共に常閉型の電磁弁である。油路15aには、ポンプ吐出圧を検出するポンプ圧センサS5が設けられている。
【００１３】
バルブユニットBUはブラシモータであるポンプモータPMを有する。ポンプモータPMは、プランジャポンプ3を駆動し、油路17aを介してリザーバタンクRSVから吸入したブレーキ液を油路15aに吐出する。バルブユニットBUのハウジング内において、プランジャポンプ3の吸入側には、液溜まり20が設けられている。油路17aからブレーキ液が漏れ出る態様の失陥時にも、液溜まり20をブレーキ液の（プランジャポンプ3への）供給源や（ホイルシリンダW/Cからの）排出先等として機能させることで、ホイルシリンダ液圧の増減制御を継続可能である。
油路15aと油路13aとの間には、調圧弁21が設けられており、プランジャポンプ3から吐出されたブレーキ液の余剰分を、油路13aを介してリザーバタンクRSVに戻すことができる。調圧弁21は、常開型の電磁弁であるが、常閉型であってもよい。
油路8aとホイルシリンダW/C(FL)との間には、油路8aからホイルシリンダW/C(FL)に流れるブレーキ液を調整する左前輪増圧弁22aが設けられている。また、左前輪増圧弁22aと並列にチェック弁23aが設けられている。チェック弁23aは、油路8aの圧力がホイルシリンダW/C(FL)の圧力よりも小さい場合に、油路8aへのブレーキ液の流出を許可する。ホイルシリンダW/C(FL)と油路13aとの間には、ホイルシリンダW/C(FL)の圧力を減圧する左前輪減圧弁24aが設けられている。
【００１４】
油路8aとホイルシリンダW/C(RR)との間には、油路8aからホイルシリンダW/C(RR)に流れるブレーキ液を調整する右後輪増圧弁22bが設けられている。また、右後輪増圧弁22bと並列にチェック弁23bが設けられている。チェック弁23bは、油路8aの圧力がホイルシリンダW/C(RR)の圧力よりも小さい場合に、油路8aへのブレーキ液の流出を許可する。ホイルシリンダW/C(RR)と油路13aとの間には、ホイルシリンダW/C(RR)の圧力を減圧する右後輪減圧弁24bが設けられている。
油路8bとホイルシリンダW/C(RL)との間には、油路8bからホイルシリンダW/C(RL)に流れるブレーキ液を調整する左後輪増圧弁22cが設けられている。また、左後輪増圧弁22cと並列にチェック弁23cが設けられている。チェック弁23cは、油路8bの圧力がホイルシリンダW/C(RL)の圧力よりも小さい場合に、油路8bへのブレーキ液の流出を許可する。ホイルシリンダW/C(RL)と油路13aとの間には、ホイルシリンダW/C(RL)の圧力を減圧する左後輪減圧弁24cが設けられている。
油路8bとホイルシリンダW/C(FR)との間には、油路8bからホイルシリンダW/C(FR)に流れるブレーキ液を調整する右前輪増圧弁22dが設けられている。また、右前輪増圧弁22dと並列にチェック弁23dが設けられている。チェック弁23dは、油路8bの圧力がホイルシリンダW/C(FR)の圧力よりも小さい場合に、油路8bへのブレーキ液の流出を許可する。ホイルシリンダW/C(FR)と油路13aとの間には、ホイルシリンダW/C(FR)の圧力を減圧する右前輪減圧弁24dが設けられている。
各増圧弁22a,22b,22c,22dは、共に常開型の電磁弁であり、各減圧弁24a,24b,24c,24dは、共に常閉型の電磁弁である。
【００１５】
コントロールユニットCUは、運転者のブレーキ操作量に応じた制動力を各輪に発生させる通常制動時には、プライマリカット弁9aとセカンダリカット弁9bを閉弁方向に制御し、ストロークシミュレータイン弁14を閉弁方向に制御し、ストロークシミュレータアウト弁12を開弁方向に制御し、プライマリ連通弁16aとセカンダリ連通弁16bを開弁方向に制御し、調圧弁21を閉弁方向に制御すると共に、ポンプモータPMを作動させる。これにより、所望のブレーキ液をリザーバタンクRSVから油路17a→プランジャポンプ3→油路15a→油路8a，油路8bを経由して各ホイルシリンダW/Cへ送ることができる。このとき、ポンプモータPMのモータの回転と調圧弁21を目標圧力となるようにプライマリ系統圧センサS3、セカンダリ系統圧センサS4およびポンプ圧センサS5の検出値をフィードバックすることで、所望の制動力が得られる。また、マスタシリンダM/Cのセカンダリ液室7bから送られるブレーキ液は、ストロークシミュレータSSの正圧室10aに導かれ、ピストン10dが移動することにより、スプリング10cに反力が作用し、ブレーキペダル操作に応じた反力が創生される。したがって、制動操作時に適切な制動力と、ブレーキペダルBPの反力およびストロークとを発生させることができる。
【００１６】
実施例１では、マスタシリンダM/Cの配管からブレーキ液が漏れる等により、通常時よりマスタ圧に対してブレーキペダルBPのストロークが過大となる故障が発生した際に、運転者のブレーキ操作量に応じて、ポンプモータPMによるホイルシリンダW/Cの倍力制御を継続する。ホイルシリンダW/Cの目標液圧は、通常時と同様にストロークセンサＳ1およびマスタ圧センサS2の各検出値から算出される。よって、ブレーキペダルBPのストロークSあるいはマスタ圧Pmcが出力されていれば、目標液圧には影響を与えない。したがって、ホイルシリンダW/C圧に影響を与えることなく、通常時と同様にホイルシリンダW/Cの倍力制御ができる。
【００１７】
図２は、実施例１のプランジャポンプの断面図、図３は実施例１のポンプ部の拡大断面図である。ポンプモータPMの回転軸の軸心（軸線）は、カム収容孔81の軸心Oと略一致する。カム収容孔81には、プランジャポンプ3の回転軸であり駆動軸である回転駆動軸300と、カムユニット30が収容される。回転駆動軸300は、プランジャポンプ3の駆動軸である。回転駆動軸300は、その軸心がポンプモータPMの回転軸の軸心の延長上を延びるようにポンプモータPMの回転軸に連結固定され、ポンプモータPMにより回転駆動される。回転駆動軸300の軸心は軸心Oと略一致する。回転駆動軸300は、軸心Oの周りを、ポンプモータPMの回転軸と一体に回転する。カムユニット30は、回転駆動軸300に設けられる。カムユニット30は、カム301と駆動部材302（外輪）と複数の転動体303とを有する。カム301は円柱状の偏心カムであり、回転駆動軸300の軸心Oに対して偏心する軸心Pを有する。軸心Pは軸心Oと略平行に延びる。カム301は、回転駆動軸300と一体に軸心Oの周りを回転しつつ揺動する。駆動部材302（外輪）は円筒状であり、カム301の外周側に配置される。駆動部材302（外輪）の軸心は軸心Pと略一致する。駆動部材302（外輪）は軸心Pの周りをカム301に対して回転可能である。駆動部材302（外輪）は、転がり軸受の外輪と同様の構成を有する偏心ベアリングである。複数の転動体303は、カム301の外周面と駆動部材302（外輪）の内周面との間に配置される。転動体303は針状ころであり、回転駆動軸300の軸心方向に沿って延びる。
【００１８】
プランジャポンプ3は、固定シリンダ形のラジアルプランジャポンプであり、ハウジング8と、回転駆動軸300と、カムユニット30と、複数（5個）のポンプ部3A〜3Eとを備える。ポンプ部3A〜3Eは、往復ポンプとしてのプランジャポンプ（ピストンポンプ）であり、回転駆動軸300の回転により作動する。プランジャ（ピストン）36の往復運動に伴い、作動液としてのブレーキ液の吸入と吐出を行う。カムユニット30は、回転駆動軸300の回転運動をプランジャ36の往復運動に変換する機能を有する。各ポンプ部3A〜3Eの構成を互いに区別する場合、その符号に添字A〜Eを付す。各プランジャ36は、カムユニット30の周りに配置され、それぞれシリンダ収容孔82に収容される。プランジャ36の軸心360は、シリンダ収容孔82の軸心と略一致し、回転駆動軸300の径方向に延びる。言換えると、プランジャ36は、シリンダ収容孔82の数（5個）だけ設けられ、軸心Oに対し放射方向に延びる。プランジャ36A〜36Eは、回転駆動軸300の周り方向（以下、単に周方向という。）で略均等に、すなわち回転駆動軸300の回転方向で略等間隔に、配置される。これらのプランジャ36A〜36Eの軸心360A〜360Eは同一平面内にある。これらのプランジャ36A〜36Eは、同一の回転駆動軸300および同一のカムユニット30により駆動される。
【００１９】
ポンプ部3Aは、シリンダスリーブ31と、フィルタ部材32と、プラグ33と、ガイドリング34と、第1シールリング351と、第2シールリング352と、プランジャ36と、戻しばね37と、吸入弁38と、吐出弁39とを有し、これらはシリンダ収容孔82に設置される。シリンダスリーブ31は有底円筒状であり、底部310に貫通孔311が貫通する。シリンダスリーブ31はシリンダ収容孔82に固定される。シリンダスリーブ31の軸心はシリンダ収容孔82の軸心360と略一致する。シリンダスリーブ31の開口側の端部312は中径部822（吸入ポート823）に配置され、底部310は大径部（吐出ポート）821に配置される。フィルタ部材32は有底円筒状であり、底部320に孔321が貫通すると共に、側壁部に複数の開口部が貫通する。この開口部にはフィルタが設置される。フィルタ部材32の開口側の端部323は、シリンダスリーブ31の開口側の端部312に固定される。底部320は小径部820に配置される。フィルタ部材32の軸心はシリンダ収容孔82の軸心360と略一致する。フィルタ部材32の開口部が開口する外周面とシリンダ収容孔82（吸入ポート823）の内周面との間には隙間がある。第1連通液路は吸入ポート823及び上記隙間に連通する。プラグ33は、円柱状であり、その軸心方向一端側に、有底円筒状の吐出室330と吐出通路331を有する。この吐出通路331は、径方向に延びて吐出室330とプラグ33の外周面とを接続し、吐出ポート821に連通する。プラグ33の上記軸方向一端側は、シリンダスリーブ31の底部310に固定される。プラグ33の軸心はシリンダ収容孔82の軸心360と略一致する。プラグ33は、大径部821に固定され、ハウジング8の外周面におけるシリンダ収容孔82の開口を閉塞する。第2連通液路は吐出ポート821及びプラグ33の上記吐出通路331に連通する。ガイドリング34は円筒状であり、シリンダ収容孔82におけるフィルタ部材32よりもカム収容孔81の側（小径部820）に固定される。ガイドリング34の軸心はシリンダ収容孔82の軸心360と略一致する。第1シールリング351は、シリンダ収容孔82（小径部820）におけるガイドリング34とフィルタ部材32との間に設置される。
【００２０】
プランジャ36は、円柱状であり、その軸心方向一方側に端面（以下、プランジャ端面という。）361を有し、軸心方向他方側の外周にフランジ部362を有する。プランジャ端面361は、プランジャ36の軸心360に対し略直交する方向に広がる平面状であり、軸心360を中心とする略円形状である。プランジャ36は、その内部に軸方向孔363と径方向孔364を有する。軸方向孔363は、軸心360上を延びてプランジャ36の上記軸心方向他方側の端面に開口する。径方向孔364は、プランジャ36の径方向に延びて、フランジ部362よりも上記軸心方向一方側の外周面に開口すると共に、軸方向孔363の上記軸心方向一方側に接続する。プランジャ36の上記軸心方向他方側の端部には、チェック弁ケース365が固定される。チェック弁ケース365は、薄板からなる有底円筒状であり、開口側の端部の外周にフランジ部366を有し、側壁部および底部367に複数の孔368が貫通する。チェック弁ケース365の開口側の端部はプランジャ36の上記軸心方向他方側の端部に嵌合する。第2シールリング352は、チェック弁ケース365のフランジ部366とプランジャ36のフランジ部362との間に設置される。プランジャ36の上記軸心方向他方側はシリンダスリーブ31の内周側に挿入され、フランジ部362がシリンダスリーブ31により案内・支持される。プランジャ36における径方向孔364よりも上記軸心方向一方側は、フィルタ部材32の底部320の内周側（孔321）、第1シールリング351の内周側、およびガイドリング34の内周側に挿入され、これらにより案内・支持される。プランジャ36の軸心360はシリンダスリーブ31等（シリンダ収容孔82）の軸心と略一致する。プランジャ36の上記軸心方向一方側の端部（プランジャ端面361）はカム収容孔81の内部に突出する。
【００２１】
戻しばね37は、圧縮コイルスプリングであり、シリンダスリーブ31の内周側に設置される。戻しばね37の一端はシリンダスリーブ31の底部310に設置され、他端はチェック弁ケース365のフランジ部366に設置される。戻しばね37は、シリンダスリーブ31（シリンダ収容孔82）に対しプランジャ36をカム収容孔81の側へ常に付勢する。吸入弁38は、弁体としてのボール380と、戻しばね381とを有し、これらはチェック弁ケース365の内周側に収容される。プランジャ36の上記軸心方向他方側の端面における軸方向孔363の開口の周りには弁座369が設けられる。ボール380が弁座369に着座することで軸方向孔363が閉塞される。戻しばね381は、圧縮コイルスプリングであり、その一端はチェック弁ケース365の底部367に設置され、他端はボール380に設置される。
【００２２】
戻しばね381は、チェック弁ケース365（プランジャ36）に対しボール380を弁座369の側へ常に付勢する。吐出弁39は、弁体としてのボール390と、戻しばね391とを有し、これらはプラグ33の吐出室330に収容される。シリンダスリーブ31の底部310における貫通孔311の開口部の周りには弁座313が設けられる。ボール390が弁座313に着座することで貫通孔311が閉塞される。戻しばね391は、圧縮コイルスプリングであり、その一端は吐出室330の底面に設置され、他端はボール390に設置される。戻しばね391は、ボール390を弁座313の側へ常に付勢する。
【００２３】
シリンダ収容孔82の内部において、プランジャ36のフランジ部362よりもカム収容孔81の側の空間R1は、第1連通液路に連通する吸入側の空間である。具体的には、フィルタ部材32の外周面とシリンダ収容孔82の内周面（吸入ポート823）との間の上記隙間から、フィルタ部材32の複数の開口、およびプランジャ36の外周面とフィルタ部材32の内周面との間の隙間を通り、プランジャ36の径方向孔364および軸方向孔363へと至る空間は、吸入側空間R1として機能する。この吸入側空間R1は、第1シールリング351により、カム収容孔81との連通が抑制される。
【００２４】
シリンダ収容孔82の内部において、シリンダスリーブ31とプラグ33との間の空間R3は、第2連通液路に連通する吐出側の空間である。具体的には、プラグ33の吐出通路331から吐出ポート821へと至る空間は吐出側空間R3として機能する。シリンダスリーブ31の内周側において、プランジャ36のフランジ部362とシリンダスリーブ31の底部310との間の空間R2は、シリンダスリーブ31に対するプランジャ36の往復移動（ストローク）により容積が変化する。この空間R2は、吸入弁38の開弁により吸入側空間R1と連通し、吐出弁39の開弁により吐出側空間R3と連通する。
【００２５】
ポンプ部3Aのプランジャ36は往復運動して、ポンプ作用を行う。すなわち、プランジャ36がカム収容孔81(軸心O)へ近づく側にストロークすると、空間R2の容積が大きくなり、R2内の圧力が低下する。吐出弁39が閉弁し、吸入弁38が開弁することで、吸入側空間R1から空間R2へ作動液としてのブレーキ液が流入し、第1連通液路から吸入ポート823を介して空間R2へブレーキ液が供給される。プランジャ36がカム収容孔81から離れる側へストロークすると、空間R2の容積が小さくなり、R2内の圧力が上昇する。吸入弁38が閉弁し、吐出弁39が開弁することで、空間R2から貫通孔311を通って吐出側空間R3へブレーキ液が流出し、吐出ポート821を介して第2連通液路へブレーキ液が供給される。他のポンプ部3B〜3Eも同様の構成を有する。各ポンプ部3A〜3Eが第2連通液路へ吐出するブレーキ液は1つの吐出液路13に集められ、2系統の液圧回路で共通に用いられる。
【００２６】
図４は実施例1の回転駆動軸300、カム（カムユニット）301、駆動部材（カムユニット）302、樹脂製のカラー500の分解斜視図である。なお、駆動部材302（外輪）内の複数の転動体303は図示していない。
【００２７】
ここで、図４で示すように、ポンプモータPMにより回転駆動される回転軸としての回転駆動軸300の先には、回転駆動軸300の軸心０とは偏心した軸心Ｐを有する偏心軸としての円柱状のカム301が一体形成され、最先端には摺動部を有する摺動部材としての樹脂製のカラー500に圧入固定される圧入部300aが形成されている。この圧入部300aは円筒状に形成されており、摺動部を有する摺動部材としての樹脂製のカラー500の有底状に形成された圧入孔501の内周面に形成された4ヶ所の突起502に圧入固定される。なお、突起502を設けずに、圧入部300aを圧入孔501の内周面に圧入固定しても良い。また、この圧入部300aの軸心は、回転駆動軸300の軸心０と同心である。
【００２８】
図５は、図４の回転駆動軸300、カム（カムユニット）301、駆動部材（カムユニット）302、樹脂製のカラー500をハウジング8に組付けた状態を示す断面図である。
図５に示すように、偏心軸としての円柱状のカム301は、プランジャ36を往復運動させる偏心カムとしての円筒状の駆動部材302（外輪）内に配置された複数の転動体303に接触するように円筒状の駆動部材302（外輪）を貫通し、配置される。このカム301と駆動部材302（外輪）と複数の転動体303により、カムユニット30を構成する。また、駆動部材302（外輪）と複数の転動体303で、転がり軸受を構成している。
圧入部300aと摺動部を有する摺動部材としての樹脂製のカラー500とは、図５のＡ−Ａ断面図である図６に示すように、圧入部300aは、カラー500の圧入孔501の内周面に形成された４ヶ所の突起502に圧入固定されている。
また、カラー500の底面部503は、球面状に形成されて、駆動部材302（外輪）の抜け止め用ストッパ部としてのカム収容孔81の底部81ａと当接するように配置される。
【００２９】
図７は、実施例１の材料と摩擦係数の関係を示す特性図である。
【００３０】
ハウジング8に使用されるアルミニウム（A6061-T6）とカラー500に使用される樹脂（450FC30）のそれぞれの摩擦係数を示している。横軸はPV値であり、縦軸が摩擦係数を示している。樹脂（450FC30）の摩擦係数が全PV値領域で、アルミ（A6061-T6）より小さく、PV値の変化に対して、あまり変動せず、安定して小さな摩擦係数を有していることがわかる。
これにより、偏心カムとしての駆動部材302（外輪）と摺動部材としての樹脂製のカラー500間の摺動部としての接触面間の摩擦係数を小さく抑えることができる。
さらに、カラー500の底面部503と駆動部材302（外輪）の抜け止め用ストッパ部としてのカム収容孔81の底部81ａ間の摺動に関しても、小さい摩擦係数とすることができる。
【００３１】
次に、作用効果を説明する。
実施例１のポンプ装置及びブレーキ装置にあっては、以下に列挙する作用効果を有する。
（１）偏心カムとしての駆動部材302（外輪）と摺動部を有する摺動部材としての樹脂製のカラー500間の摩擦係数を低減することができ、両部品の供回りが抑制できる。
よって、プランジャポンプ3のプランジャ（ピストン）36端面とこれと当接する偏心
カムとしての駆動部材302（外輪）との摩耗が抑制できる。また、これに伴いプランジャポンプ3としての静粛性も向上できる。
【００３２】
（２）摺動部を有する摺動部材としての樹脂製のカラー500と駆動部材302（外輪）の抜け止め用ストッパ部としてのカム収容孔81の底部81ａ間の摺動部に関しても、低い摩擦係数とすることができる。
よって、カラー500のカム収容孔81の底部81ａ側の摩耗も抑制でき、プランジャポンプ3の耐久性の向上が図れる。
【００３３】
（３）樹脂製のカラー500を駆動部材302（外輪）の抜け止め用ストッパ部としてのカム収容孔81の底部81ａに当接させるようにしている。
よって、ストッパ部を別部材で設ける必要がなく、部品点数の削減となる。また、摺動部を有する摺動部材としての樹脂製のカラー500は、単独でも偏心カムとしての駆動部材302（外輪）の抜け止めの役割も担うことができる。
【００３４】
（４）摺動部を有する摺動部材としての樹脂製のカラー500の底面部503は、球面状に形成されて、ストッパ部としてのハウジング8のカム収容孔81の底部81ａに当接することができる。
よって、ハウジング8のカム収容孔81の底部81ａに、点または線接触となるので、より摩擦を低減できる。
【００３５】
（５）摺動部を有する摺動部材としての樹脂製のカラー500は、偏心軸である円柱状のカム301の外周と部分的に当接している。
よって、樹脂製のカラー500は、カム301に対して駆動部材302（外輪）が脱落しない程度に保持されていればよく、圧入荷重の低減になる。
【００３６】
（６）駆動部材302（外輪）と複数の転動体303で、転がり軸受を構成している。
よって、カム301との摩擦トルクが軽減できる。
【００３７】
〔実施例２〕
図８は、実施例２の回転駆動軸300、カム（カムユニット）301、駆動部材（カムユニット）302、樹脂製のカラー500をハウジング8に組付けた状態を示す断面図である。なお、駆動部材302（外輪）内の複数の転動体303は図示していない。
実施例１とは異なり、カラー500の底面部503が、駆動部材302（外輪）の抜け止め用ストッパ部としてのカム収容孔81の底部81ａと所定の隙間tを持って配置されている。
その他の構成は実施例１と同じであるため、実施例1と共通する部材については実施例１と同じ符号を付して、説明を省略する。
【００３８】
次に、作用効果を説明する。
摺動部を有する摺動部材としてのカラー500の底面部503が、ストッパ部としてのカム収容孔81の底部81ａと所定の隙間tを持って配置されている。
よって、常時底面部503が底部81aと接触していないので摩擦を低減できる。仮にカラー500が軸方向にずれて、底面部503が底部81ａに当接したとしても、底面部503が球面状であるため、点または線接触となるので、摩擦を低減できる。
その他の作用効果は実施例１と同じである。
【００３９】
〔実施例３〕
図９は、実施例３の回転駆動軸300、カム（カムユニット）301、駆動部材（カムユニット）302、樹脂製のカラー510、金属製のストッパ部材600の分解斜視図である。なお、駆動部材302（外輪）内の複数の転動体303は図示していない。
図１０は、実施例３の回転駆動軸300、カム（カムユニット）301、駆動部材（カムユニット）302、樹脂製のカラー510、金属製のストッパ部材600を組付けた状態での断面図である。
実施例１とは異なり、駆動部材302（外輪）の抜け止め用ストッパ部として、別部材の金属製のストッパ部材600を設けてある。
ストッパ部材600の駆動部材302（外輪）側には、駆動部材302側に突出する段差部601が設けられている。この段差部601には摺動部を有する摺動部材としてのリング状の樹脂製のカラ―510が取り付け配置される。
回転駆動軸300の先端の圧入部300aが、中央の圧入孔602に圧入され、相互に固定される。
その他の構成は実施例１と同じであるため、実施例1と共通する部材については実施例１と同じ符号を付して、説明を省略する。
【００４０】
次に、作用効果を説明する。
（１）偏心カムとしての駆動部材302（外輪）と摺動部を有する摺動部材としての樹脂製のカラー510間の摩擦係数が低減することができ、両部品の供回りが抑制できる。
よって、プランジャポンプ3のプランジャ（ピストン）36端面とこれと当接する偏心
カムとしての駆動部材302（外輪）との摩耗が抑制できる。また、これに伴いプランジャポンプ3としての静粛性も向上できる。
【００４１】
（２）駆動部材302（外輪）の抜け止め用ストッパ部として、別部材の金属製のストッパ部材600を設けている。
よって、ストッパ部材600が別部材であるため、摺動部を有する摺動部材である樹脂製のカラ―510の脱落を確実に防止できる。また、ハウジング8のカム収容孔81の底部81ａとの当接がないので、摩擦低減となる。
【００４２】
（３）ストッパ部材600の駆動部材302（外輪）側には、駆動部材302側に突出する段差部601が設けられている。この段差部601の外周には摺動部を有する摺動部材としての樹脂製のカラ―510が取り付け配置される。この段差部601分、圧入孔602の長さを長くすることができる。
よって、ストッパ部材600の圧入代を確保でき、確実に樹脂製カラー510の脱落を抑制できる。
【００４３】
（４）駆動部材302（外輪）と複数の転動体303で、転がり軸受を構成している。
よって、カム301との摩擦トルクが軽減できる。
【００４４】
〔実施例４〕
図１１は、実施例４の回転駆動軸300、カム（カムユニット）301、駆動部材（カムユニット）302、樹脂製のカラー520、金属製のストッパ部材610の分解斜視図である。なお、駆動部材302（外輪）内の複数の転動体303は図示していない。
図１２は、実施例４の回転駆動軸300、カム（カムユニット）301、駆動部材（カムユニット）302、樹脂製のカラー520、金属製のストッパ部材610を組付けた状態での断面図である。
図１３は、実施例４の回転駆動軸300、カム（カムユニット）301、駆動部材（カムユニット）302、樹脂製のカラー520、金属製のストッパ部材610を組付けた状態での平面図である。
実施例１とは異なり、駆動部材302（外輪）の抜け止め用ストッパ部として、別部材の金属製のストッパ部材6１0を設けてある。
ストッパ部材610の駆動部材302（外輪）側には、リング状の中央の凹部611とリング状の段差部612とリング状の段差部612には４ヶ所の径方向の凹部614が設けられている。回転駆動軸300の先端の圧入部300aが、中央の圧入孔613に圧入され、相互に固定される。
また、樹脂製のカラ―520は、リング状の本体部521から４ヶ所の突起522が径方向外側に向けて設けてある。
樹脂製のカラ―520のリング状の本体部521と４ヶ所の突起522が、金属製のストッパ部材610の中央の凹部611とリング状の段差部612の４ヶ所の径方向の凹部612に挿入されて組付けられる。樹脂製のカラ―520の軸方向の厚さと金属製のストッパ部材610の中央の凹部611とリング状の段差部612の４ヶ所の径方向の凹部612の軸方向深さは、略同一である。
駆動部材302（外輪）とは、樹脂製のカラ―520と金属製のストッパ部材6１0の両方が接触している。
その他の構成は実施例１と同じであるため、実施例1と共通する部材については実施例１と同じ符号を付して、説明を省略する。
【００４５】
次に、作用効果を説明する。
（１）偏心カムとしての駆動部材302（外輪）と摺動部を有する摺動部材としての樹脂製のカラー520間の摩擦係数が低減することができ、両部品の供回りが抑制できる。
よって、プランジャポンプ3のプランジャ（ピストン）36端面とこれと当接する偏心
カムとしての駆動部材302（外輪）との摩耗が抑制できる。また、これに伴いプランジャポンプ3としての静粛性も向上できる。
【００４６】
（２）駆動部材302（外輪）の抜け止め用ストッパ部として、別部材の金属製のストッパ部材610を設けている。
よって、ストッパ部材610が別部材であるため、摺動部材である樹脂製のカラ―520の脱落を確実に防止できる。また、ハウジング8のカム収容孔81の底部81ａとの当接がないので、摩擦低減となる。
【００４７】
（３）樹脂製のカラ―520の本体部521と４ヶ所の突起522が金属製のストッパ部材610の中央の凹部611とリング状の段差部612の４ヶ所の径方向の凹部614に挿入されて組付けられる。
よって、樹脂製のカラ―520による耐摩耗性と金属製のストッパ部材610による耐強度性の両立を図ることができる。
【００４８】
（４）駆動部材302（外輪）と複数の転動体303で、転がり軸受を構成している。
よって、カム301との摩擦トルクが軽減できる。
【００４９】
（５）駆動部材302（外輪）側の面は、樹脂製のカラー520と金属製のストッパ部材610は同一平面となり、樹脂製のカラ―520と金属製のストッパ部材610の両方が駆動部材302（外輪）と当接している。
よって、樹脂製のカラ―520による耐摩耗性と金属製のストッパ部材610による耐強度性の両立を図ることができる。
【００５０】
〔実施例５〕
図１４は、実施例５の回転駆動軸300、カム（カムユニット）301、駆動部材（カムユニット）302、樹脂製のカラー520a、金属製のストッパ部材610を組付けた状態での平面図である。
実施例４とは異なり、樹脂製のカラ―520aの軸方向の厚さが金属製のストッパ部材610の中央の凹部611とリング状の段差部612の４ヶ所の径方向の凹部614の軸方向深さより厚い。
その他の構成は実施例４と同じであるため、実施例４と共通する部材については実施例４と同じ符号を付して、説明を省略する。
【００５１】
次に、作用効果を説明する。
樹脂製のカラ―520aのみが駆動部材302（外輪）と当接しているので、摩擦低減となりプランジャポンプ3のプランジャ（ピストン）36端面とこれと当接する偏心カムとしての駆動部材302（外輪）との摩耗が抑制できる。また、これに伴いプランジャポンプ3としての静粛性も向上できる。
また、樹脂製のカラ―520aが摩耗して、偏心カムとしての駆動部材302（外輪）と樹脂製のカラ―520aと金属製のストッパ部材610の両方が接触することになった場合、樹脂製のカラ―520aによる耐摩耗性と金属製のストッパ部材610よる耐強度性の両立を図ることができる。
さらに、樹脂製のカラ―520aのみが駆動部材302（外輪）と当接している場合と駆動部材302（外輪）と樹脂製のカラ―520aと金属製のストッパ部材610の両方が接触することになった場合には摺動音が異なるため、樹脂製のカラ―520aの摩耗の状態を確認できる。
【００５２】
〔他の実施例〕
以上、各実施例に基づいて説明したが、他の構成であっても本発明に含まれる。
例えば、各実施例では、低摩擦係数の摺動部材を樹脂製のカラ―として別部材としたが、カム収納孔81の底部81ａや金属製のストッパ部材600、610に低摩擦材をコーティング（表面処理）してもよい。また、ストッパ部は、カム収納孔81や金属製のストッパ部材600、610で説明したが、摺動部材と樹脂にて一体成型してもよい。
駆動部材302（外輪）と複数の転動体303の転がり軸受で構成しているが、玉軸受、滑り軸受などでも適用可能である。
偏心軸であるカム301は、回転駆動軸300に直接形成してもよいし、別部材を取り付けても構わない。
【００５３】
以上説明した実施形態から把握しうる技術的思想について、以下に記載する。
ポンプ装置及びブレーキ装置は、その１っの態様において、モータと、前記モータによって回転駆動される回転軸と、前記回転軸の軸心に対し偏心した軸心を有し、前記回転軸の回転によって前記偏心した軸心が前記回転軸の軸心周りを回転される偏心軸と、前記偏心軸の外周で、前記偏心軸の回転によって前記偏心した軸心の周りを揺動する偏心カムと、前記偏心カムの外周で、前記偏心した軸心に対し直交する方向を作動軸方向とし、前記偏心カムの揺動によって往復運動してポンプ作用を行うプランジャポンプと、前記偏心カムに対し前記偏心した軸心の方向に設けられたストッパ部と、前記偏心した軸心の方向で前記ストッパ部と前記偏心カムとの間に設けられ、前記偏心カムとの間の摩擦係数が、前記ストッパ部と前記偏心カムとの間の摩擦係数より小さい摺動部と、を備える。
より好ましい態様では、上記態様において、前記摺動部と前記ストッパ部との間の摩擦係数が、前記ストッパ部と前記偏心カムとの間の摩擦係数より小さい。
さらに別の好ましい態様では、上記態様のいずれかにおいて、前記モータが取り付けられる一面と、前記一面より内部に設けられ、前記偏心カムが収容される有底の収容孔と、を有するハウジングを備え、前記摺動部は、別部材の摺動部材として前記偏心軸に保持され、前記ストッパ部は前記収容孔の底部である。
さらに別の好ましい態様では、上記態様のいずれかにおいて、前記摺動部材の前記収容孔の底部側は、球状である。
さらに別の好ましい態様では、上記態様のいずれかにおいて、前記摺動部材は、前記収容孔の底部と当接している。
さらに別の好ましい態様では、上記態様のいずれかにおいて、前記摺動部材は、前記収容孔の底部との間に所定の隙間を設けている。
さらに別の好ましい態様では、上記態様のいずれかにおいて、前記摺動部材は、前記偏心軸の外周と部分的に当接している。
さらに別の好ましい態様では、上記態様のいずれかにおいて、前記ストッパ部は、前記偏心軸に固定された別部材のストッパ部材である。
さらに別の好ましい態様では、上記態様のいずれかにおいて、前記ストッパ部材は、前記偏心軸に固定される前記偏心した軸心の方向において、前記偏心カム側に縮径する段差部を備え、前記摺動部は、別部材の摺動部材として構成され、前記段差部に前記摺動部材が配置される。
さらに別の好ましい態様では、上記態様のいずれかにおいて、前記ストッパ部は、前記偏心軸に固定される前記偏心した軸心の方向において、前記偏心カム側に凹部を備え、前記摺動部は、別部材の摺動部材として構成され、前記凹部に前記摺動部材が配置される。
さらに別の好ましい態様では、上記態様のいずれかにおいて、前記摺動部材及びストッパ部の両方が前記偏心した軸心の方向において前記偏心カムと当接する。
さらに別の好ましい態様では、上記態様のいずれかにおいて、前記摺動部材のみが前記偏心した軸心の方向において前記偏心カムと当接する。
【符号の説明】
【００５４】
M/C  マスタシリンダ
PM  ポンプモータ（アクチュエータ）
RSV  リザーバタンク
SS  ストロークシミュレータ
W/C  ホイルシリンダ
3  プランジャポンプ
31  シリンダスリーブ
33  プラグ（プラグ部材）
33a  凹部
36  プランジャ（ピストン）
39  吐出弁
8  ハウジング
81a  カム収納孔の底部（ストッパ部）
300  回転駆動軸（回転軸）
301カム（偏心軸）
302  駆動部材（偏心カム）
330  吐出室
331  吐出通路
390  ボール（ボール弁）
500  樹脂製のカラ―（摺動部としての摺動部材）
510  樹脂製のカラ―（摺動部としての摺動部材）
520  樹脂製のカラ―（摺動部としての摺動部材）
520a  樹脂製のカラ―（摺動部としての摺動部材）
600  金属製のストッパ部材（ストッパ部）
610  金属製のストッパ部材（ストッパ部）
【図１】
2018062874.tif 000003
【図２】
2018062874.tif 000004
【図３】
2018062874.tif 000005
【図４】
2018062874.tif 000006
【図５】
2018062874.tif 000007
【図６】
2018062874.tif 000008
【図７】
2018062874.tif 000009
【図８】
2018062874.tif 000010
【図９】
2018062874.tif 000011
【図１０】
2018062874.tif 000012
【図１１】
2018062874.tif 000013
【図１２】
2018062874.tif 000014
【図１３】
2018062874.tif 000015
【図１４】
2018062874.tif 000016